(57)【要約】【課題】高品質データと低品質データとが多重化されてなる送信データを受信した場合に、低品質データを外部記憶装置に転送するための時間を低減する。【解決手段】受信装置１０は、送信データから高品質データを抽出する高品質データ抽出部１０６と、高品質データ抽出部１０６が抽出した高品質データをファイル化して高品質データファイル１２２を生成し、高品質データファイル１２２を記憶部１２０に記憶させる高品質データ記憶制御部１０８と、送信データから低品質データを抽出する低品質データ抽出部１１０と、低品質データ抽出部１１０が抽出した低品質データをファイル化して高品質データファイル１２２とは別の低品質データファイル１２４を生成し、低品質データファイル１２４を記憶部１２０に記憶させる低品質データ記憶制御部１１２と、を備える。【選択図】図１
2010141520.tif 000002
【特許請求の範囲】
【請求項１】
データを記憶することが可能である記憶部と、
所定のビットレートで送信される高品質データと前記高品質データよりも低いビットレートで送信される低品質データとが多重化されてなる送信データを受信する受信部と、
前記受信部が受信した前記送信データから前記高品質データを抽出する高品質データ抽出部と、
前記高品質データ抽出部が抽出した前記高品質データをファイル化して高品質データファイルを生成し、当該高品質データファイルを前記記憶部に記憶させる高品質データ記憶制御部と、
前記受信部が受信した前記送信データから前記低品質データを抽出する低品質データ抽出部と、
前記低品質データ抽出部が抽出した前記低品質データをファイル化して前記高品質データファイルとは別の低品質データファイルを生成し、当該低品質データファイルを前記記憶部に記憶させる低品質データ記憶制御部と、
を備える、受信装置。
【請求項２】
前記送信データから前記高品質データを識別するための高品質データ識別情報を取得して前記記憶部に記憶させる情報登録部と、
前記記憶部が記憶する前記高品質データ識別情報を表示部に表示させる表示制御部と、
をさらに備える、請求項１に記載の受信装置。
【請求項３】
情報の入力を受け付けることが可能である入力部と、
データの再生を行うことが可能である再生部と、
前記入力部が、前記表示部に表示された前記高品質データ識別情報を参照したユーザから当該高品質データ識別情報で識別される前記高品質データを再生する旨を示す再生指示情報の入力を受け付けた場合には、前記再生部に当該高品質データを再生する処理を実行させる制御部と、
をさらに備える、請求項２に記載の受信装置。
【請求項４】
前記情報登録部は、
前記送信データから前記低品質データを識別するための低品質データ識別情報をさらに取得して前記高品質データ識別情報に関連付けて前記記憶部に記憶させ、
前記受信装置は、
情報の入力を受け付けることが可能である入力部と、
データを外部記憶装置に転送することが可能である転送制御部と、
前記入力部が、前記表示部に表示された前記高品質データ識別情報を参照したユーザから当該高品質データ識別情報に関連付けられた前記低品質データ識別情報で識別される前記低品質データをファイル化した前記低品質データファイルを前記外部記憶装置に転送する旨を示す転送指示情報の入力を受け付けた場合には、前記転送制御部に、当該低品質データファイルを前記外部記憶装置に転送する処理を実行させる制御部と、
をさらに備える、請求項２に記載の受信装置。
【請求項５】
前記情報登録部は、
前記送信データから前記低品質データを識別するための低品質データ識別情報をさらに取得して前記高品質データ識別情報に関連付けて前記記憶部に記憶させ、
前記受信装置は、
情報の入力を受け付けることが可能である入力部と、
データを外部記憶装置に転送することが可能である転送制御部と、
前記入力部が、前記表示部に表示された前記高品質データ識別情報を参照したユーザから当該高品質データ識別情報に関連付けられた前記低品質データ識別情報で識別される前記低品質データをファイル化した前記低品質データファイルを前記外部記憶装置に転送する旨を示す転送指示情報の入力を受け付けた場合には、当該高品質データと当該低品質データとが同種のものであるか否かを判断し、同種のものであると判断した場合には、前記転送制御部に、当該低品質データファイルを前記外部記憶装置に転送する処理を実行させ、同種のものではないと判断した場合には、前記表示制御部に、前記表示部に警告を示すメッセージを表示させる処理を実行させる制御部と、
をさらに備える、請求項２に記載の受信装置。
【請求項６】
前記情報登録部は、
前記送信データから前記低品質データを識別するための低品質データ識別情報をさらに取得して前記高品質データ識別情報に関連付けて前記記憶部に記憶させ、
前記受信装置は、
情報の入力を受け付けることが可能である入力部と、
データを外部記憶装置に転送することが可能である転送制御部と、
前記入力部が、前記表示部に表示された前記高品質データ識別情報を参照したユーザから当該高品質データ識別情報に関連付けられた前記低品質データ識別情報で識別される前記低品質データをファイル化した前記低品質データファイルを前記外部記憶装置に転送する旨を示す転送指示情報の入力を受け付けた場合には、当該高品質データと当該低品質データとが同種のものであるか否かを判断し、同種のものであると判断した場合には、前記転送制御部に、当該低品質データファイルを前記外部記憶装置に転送する処理を実行させ、同種のものではないと判断した場合には、当該高品質データのビットレートを下げる変換を行い、前記転送制御部に、変換して得た高品質データファイルを前記外部記憶装置に転送する処理を実行させる制御部と、
をさらに備える、請求項２に記載の受信装置。
【請求項７】
データを記憶することが可能である記憶部と、受信部と、高品質データ抽出部と、高品質データ記憶制御部と、低品質データ抽出部と、低品質データ記憶制御部とを備える、受信装置の当該受信部が、所定のビットレートで送信される高品質データと前記高品質データよりも低いビットレートで送信される低品質データとが多重化されてなる送信データを受信するステップと、
前記高品質データ抽出部が、前記受信部が受信した前記送信データから前記高品質データを抽出するステップと、
前記高品質データ記憶制御部が、前記高品質データ抽出部が抽出した前記高品質データをファイル化して高品質データファイルを生成し、当該高品質データファイルを前記記憶部に記憶させるステップと、
前記低品質データ抽出部が、前記受信部が受信した前記送信データから前記低品質データを抽出するステップと、
前記低品質データ記憶部が、前記低品質データ抽出部が抽出した前記低品質データをファイル化して前記高品質データファイルとは別の低品質データファイルを生成し、当該低品質データファイルを前記記憶部に記憶させるステップと、
を含む、受信方法。
【請求項８】
コンピュータを、データを記憶することが可能である記憶部と、
所定のビットレートで送信される高品質データと前記高品質データよりも低いビットレートで送信される低品質データとが多重化されてなる送信データを受信する受信部と、
前記受信部が受信した前記送信データから前記高品質データを抽出する高品質データ抽出部と、
前記高品質データ抽出部が抽出した前記高品質データをファイル化して高品質データファイルを生成し、当該高品質データファイルを前記記憶部に記憶させる高品質データ記憶制御部と、
前記受信部が受信した前記送信データから前記低品質データを抽出する低品質データ抽出部と、
前記低品質データ抽出部が抽出した前記低品質データをファイル化して前記高品質データファイルとは別の低品質データファイルを生成し、当該低品質データファイルを前記記憶部に記憶させる低品質データ記憶制御部と、
を備える、受信装置として機能させるための受信プログラム。
【発明の詳細な説明】
【技術分野】
【０００１】
本発明は、受信装置、受信方法および受信プログラムに関する。
【背景技術】
【０００２】
従来、ＰＤＡ（Ｐｅｒｓｏｎａｌ  Ｄｉｇｉｔａｌ  Ａｓｓｉｓｔａｎｔｓ）等のモバイル端末を利用する際には、モバイル端末の携帯性や移動性が重要である。そこで、情報処理装置等で録画された番組のコンテンツデータを所定のファイル形式のコンテンツデータに変換し、変換した所定の形式のコンテンツデータをモバイル端末に送信する技術が開示されている（例えば、特許文献１参照）。しかし、この技術では、モバイル端末に送信するためにコンテンツデータを変換する処理が必要であり、その処理に時間を要するという問題がある。
【０００３】
また、近年では、所定のビットレートで送信される高品質データとその高品質データよりも低いビットレートで送信される低品質データとが多重化されてなる送信データを送信装置が送信する場合がある。ここで、高品質データおよび低品質データという名称は、その品質が相対的な意味において高品質および低品質であることを示しており、絶対的に高品質および低品質であることを示すものではない。送信データを受信した受信装置は、送信データに多重化されている高品質データを再生することが可能であり、モバイル端末に低品質データを転送することが可能である。
【０００４】
例えば、日本の地上デジタルテレビジョン放送（ＩＳＤＢ−Ｔ：Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）では、ＵＨＦ（Ｕｌｔｒａ  Ｈｉｇｈ  Ｆｒｅｑｕｅｎｃｙ）帯（４７０ＭＨｚ〜７７０ＭＨｚ）が５０のチャンネル（チャンネル１３〜６２）に分けられている。そして、その１つのチャンネルの周波数帯域幅６ＭＨｚ（実効５．５７ＭＨｚ帯域幅およびチャンネル間約４３０ＫＨｚ幅のガードバンド）が１３のセグメントに分けられた構造となっている。
【０００５】
１３のセグメントのうちの１のセグメントはモバイル端末向けの番組データに割り当てられている。この１のセグメントは、「ワンセグ」とも呼ばれ、ワンセグに対応するデータであるワンセグデータは、低ビットレートの低品質データの一例として利用されている。また、残りの１２のセグメントに対応するデータである１２セグメントデータは、高ビットレートの高品質データの一例として利用されている。このワンセグデータと１２セグデータとは多重化されて送信される。
【０００６】
【特許文献１】特開２００２−２６２２２０号公報
【発明の開示】
【発明が解決しようとする課題】
【０００７】
しかしながら、受信装置は、高品質データと低品質データとを１つのファイルに記録していた。そのために、低品質データを外部記憶装置に転送する場合には、高品質データおよび低品質データを含むファイルを転送する必要があった。そのため、低品質データを外部記憶装置に転送するために多くの時間を要するという問題があった。例えば、日本の地上デジタルテレビジョン放送では、ワンセグデータと１２セグデータとを１つのファイルに記録していた。１３セグメントに対応する１３セグデータのビットレートは約１７Ｍｂｐｓ、ワンセグデータのビットレートは約０．４Ｍｂｐｓである。その場合に、１３セグデータのサイズは、ワンセグデータのサイズの約４０倍であるという計算になる。そのため、ワンセグデータを外部記憶装置に転送する場合には、ワンセグデータの４０倍のサイズのファイルＩ／Ｏ処理が発生するため、ワンセグデータを外部記憶装置に転送するために多くの時間を要するという問題があった。
【０００８】
また、高品質データを所定の圧縮フォーマットに変換する場合に、例えば、高品質データと低品質データとを含むファイル全体を変換する必要がある。
【０００９】
低品質データをファイルから分離して退避し、ファイルを変換した後に、退避した低品質データと変換後の高品質データとを多重化して１つのファイルに戻す必要がある。その場合には、低品質データを分離して退避し、退避した低品質データと高品質データとを多重化して１つのファイルに戻すために時間を要するという問題があった。例えば、ワンセグデータをファイルから分離して退避し、ファイルを変換した後に、退避したワンセグデータをＴＳ（Ｔｒａｎｓｐｏｒｔ  Ｓｔｒｅａｍ）  Ｍｕｌｔｉｐｌｅｘｉｎｇして１つのファイルにする必要がある。その場合には、ワンセグデータを分離して退避し、退避したワンセグデータと１２セグデータとを多重化して１つのファイルに戻すために時間を要するという問題があった。
【００１０】
そこで、本発明は、上記問題に鑑みてなされたものであり、本発明の目的とするところは、高品質データと低品質データとが多重化されてなる送信データを受信した場合に、低品質データを外部記憶装置に転送するための時間を低減することが可能な、新規かつ改良された技術を提供することにある。また、本発明の他の目的とするところは、高品質データと低品質データとが多重化されてなる送信データを受信した場合に、高品質データを効率よく所定の圧縮フォーマットに変換することが可能な、新規かつ改良された技術を提供することにある。
【課題を解決するための手段】
【００１１】
上記課題を解決するために、本発明のある観点によれば、データを記憶することが可能である記憶部と、所定のビットレートで送信される高品質データと高品質データよりも低いビットレートで送信される低品質データとが多重化されてなる送信データを受信する受信部と、受信部が受信した送信データから高品質データを抽出する高品質データ抽出部と、高品質データ抽出部が抽出した高品質データをファイル化して高品質データファイルを生成し、高品質データファイルを記憶部に記憶させる高品質データ記憶制御部と、受信部が受信した送信データから低品質データを抽出する低品質データ抽出部と、低品質データ抽出部が抽出した低品質データをファイル化して高品質データファイルとは別の低品質データファイルを生成し、低品質データファイルを記憶部に記憶させる低品質データ記憶制御部と、を備える、受信装置が提供される。
【００１２】
上記した受信装置は、送信データから高品質データを識別するための高品質データ識別情報を取得して記憶部に記憶させる情報登録部と、記憶部が記憶する高品質データ識別情報を表示部に表示させる表示制御部と、をさらに備えることとしてもよい。
【００１３】
上記した受信装置は、情報の入力を受け付けることが可能である入力部と、データの再生を行うことが可能である再生部と、入力部が、表示部に表示された高品質データ識別情報を参照したユーザから高品質データ識別情報で識別される高品質データを再生する旨を示す再生指示情報の入力を受け付けた場合には、再生部に高品質データを再生する処理を実行させる制御部と、をさらに備えることとしてもよい。
【００１４】
上記した情報登録部は、送信データから低品質データを識別するための低品質データ識別情報をさらに取得して高品質データ識別情報に関連付けて記憶部に記憶させ、上記した受信装置は、情報の入力を受け付けることが可能である入力部と、データを外部記憶装置に転送することが可能である転送制御部と、入力部が、表示部に表示された高品質データ識別情報を参照したユーザから高品質データ識別情報に関連付けられた低品質データ識別情報で識別される低品質データをファイル化した低品質データファイルを外部記憶装置に転送する旨を示す転送指示情報の入力を受け付けた場合には、転送制御部に、低品質データファイルを外部記憶装置に転送する処理を実行させる制御部と、をさらに備えることとしてもよい。
【００１５】
上記した情報登録部は、送信データから低品質データを識別するための低品質データ識別情報をさらに取得して高品質データ識別情報に関連付けて記憶部に記憶させ、上記した受信装置は、情報の入力を受け付けることが可能である入力部と、データを外部記憶装置に転送することが可能である転送制御部と、入力部が、表示部に表示された高品質データ識別情報を参照したユーザから高品質データ識別情報に関連付けられた低品質データ識別情報で識別される低品質データをファイル化した低品質データファイルを外部記憶装置に転送する旨を示す転送指示情報の入力を受け付けた場合には、高品質データと低品質データとが同種のものであるか否かを判断し、同種のものであると判断した場合には、転送制御部に、低品質データファイルを外部記憶装置に転送する処理を実行させ、同種のものではないと判断した場合には、表示制御部に、表示部に警告を示すメッセージを表示させる処理を実行させる制御部と、をさらに備えることとしてもよい。
【００１６】
上記した情報登録部は、送信データから低品質データを識別するための低品質データ識別情報をさらに取得して高品質データ識別情報に関連付けて記憶部に記憶させ、上記した受信装置は、情報の入力を受け付けることが可能である入力部と、データを外部記憶装置に転送することが可能である転送制御部と、入力部が、表示部に表示された高品質データ識別情報を参照したユーザから高品質データ識別情報に関連付けられた低品質データ識別情報で識別される低品質データをファイル化した低品質データファイルを外部記憶装置に転送する旨を示す転送指示情報の入力を受け付けた場合には、高品質データと低品質データとが同種のものであるか否かを判断し、同種のものであると判断した場合には、転送制御部に、低品質データファイルを外部記憶装置に転送する処理を実行させ、同種のものではないと判断した場合には、高品質データのビットレートを下げる変換を行い、転送制御部に、変換して得た高品質データファイルを外部記憶装置に転送する処理を実行させる制御部と、をさらに備えることとしてもよい。
【発明の効果】
【００１７】
以上説明したように本発明によれば、高品質データと低品質データとが多重化されてなる送信データを受信した場合に、低品質データを外部記憶装置に転送するための時間を低減することが可能な技術を提供することができる。また、高品質データと低品質データとが多重化されてなる送信データを受信した場合に、高品質データを効率よく所定の圧縮フォーマットに変換することが可能な技術を提供することができる。
【発明を実施するための最良の形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。なお、説明は以下の順序で行う。
【００１９】
１．    受信装置の機能構成
２．    受信装置のハードウェア構成
３．    関連付け情報のデータ構造
４．    画面表示例（低品質データの転送）
５．    画面表示例（警告メッセージの表示）
６．    受信装置の動作（データ受信時の処理）
７．    受信装置の動作（関連付け情報の登録）
８．    受信装置の動作（全体処理）
９．    本実施形態の変形例
【００２０】
［１．受信装置の機能構成］
まず、本発明の実施形態にかかる受信装置の機能構成について説明する。図１は、本発明の実施形態にかかる受信装置の機能構成を示す図である。以下、図１を用いて本発明の実施形態にかかる受信装置のハードウェア構成について説明する。
【００２１】
図１に示すように、受信装置１０は、少なくとも、受信部１０２と、高品質データ抽出部１０６と、高品質データ記憶制御部１０８と、低品質データ抽出部１１０と、低品質データ記憶制御部１１２と、記憶部１２０と、制御部１５０とを備えるものである。
【００２２】
記憶部１２０は、データを記憶することが可能であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。記憶部１２０は、制御部１５０が実行するプログラムや各種データなどを格納する。
【００２３】
受信部１０２は、復調部４０に接続される接続ポート等によって構成され、所定のビットレートで送信される高品質データと高品質データよりも低いビットレートで送信される低品質データとが多重化されてなる送信データを受信するものである。ここで、上記したように、高品質データおよび低品質データという名称は、その品質が相対的な意味において高品質および低品質であることを示しており、絶対的に高品質および低品質であることを示すものではない。所定のビットレートはどのような値であってもよく、特に限定されるものではない。例えば、高品質データの一例としては１２セグデータ、低品質データの一例としてはワンセグデータを使用することができる。１２セグデータのビットレートは約１６．８Ｍｂｐｓであり、ワンセグデータのビットレートは約０．４Ｍｂｐｓである。
【００２４】
高品質データと低品質データとの多重化については特に限定されるものではない。例えば、日本の地上デジタルテレビジョン放送では、高品質データの一例としての１２セグデータと低品質データの一例としてのワンセグデータとが異なる周波数帯域を使用し、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって多重化されている。
【００２５】
受信部１０２が受信する送信データは、例えば、アンテナ２０が受信した無線信号から、チューナ３０が所望のチャンネルに対応する無線信号を選択し、復調部４０が選択した無線信号を復調して得たものである。ここで、所望のチャンネルとは、例えば、ユーザによって録画する旨の指定がなされたチャンネルである。復調部４０が復調に使用する方式は、送信データの変調方式に対応するものである。例えば、１２セグデータは６４ＱＡＭ（６４  Ｑｕａｄｒａｔｕｒｅ  Ａｍｐｌｉｔｕｄｅ  Ｍｏｄｕｌａｔｉｏｎ）方式、ワンセグデータはＱＰＳＫ（Ｑｕａｄｒａｔｕｒｅ  Ｐｈａｓｅ  Ｓｈｉｆｔ  Ｋｅｙｉｎｇ）方式で変調されており、復調部４０は各変調方式に対応する方式で復調する。受信部１０２が受信する送信データは、無線によって送信されたものに限定されず、有線によって送信されたものであってもよい。復調部４０は、送信データが符号化されている場合には、送信データを復号化する処理を行うこととしてもよい。受信部１０２は、例えば、復調部４０が復号して得た１３セグメントのＭＰＥＧ（Ｍｏｖｉｎｇ  Ｐｉｃｔｕｒｅ  Ｅｘｐｅｒｔｓ  Ｇｒｏｕｐ）−２  ＴＳパケットの入力を受け付ける。
【００２６】
高品質データ抽出部１０６は、受信部１０２が受信した送信データから高品質データを抽出するものである。高品質データ抽出部１０６は、例えば、１３セグメントのＭＰＥＧ−２  ＴＳパケットの入力を受け付けた場合には、必要なＰＳＩ／ＳＩパケットだけを通すフィルタにより、１２セグメントのパケットとワンセグメントのパケットとに分離し、１２セグメントのパケットを抽出する。
【００２７】
高品質データ記憶制御部１０８は、高品質データ抽出部１０６が抽出した高品質データをファイル化して高品質データファイル１２２を生成し、記憶部１２０に記憶させるものである。ここでいうファイルとは、受信装置１０のＯＳ（Ｏｐｅｒａｔｉｎｇ  Ｓｙｓｔｅｍ）が扱うデータのまとまりを意味する。例えば、地上デジタルテレビジョン放送では、番組データを構成する高品質データがパケットに含められて送信される。したがって、高品質データ記憶制御部１０８は、受信したパケット内の高品質データを順次に高品質データファイル１２２に記録する。そして、高品質データ記憶制御部１０８は、１番組分の高品質データの記録が完了すると、受信したパケット内の高品質データを新たな高品質データファイル１２２に記録していく。
【００２８】
低品質データ抽出部１１０は、受信部１０２が受信した送信データから低品質データを抽出するものである。低品質データ抽出部１１０は、例えば、１３セグメントのＭＰＥＧ−２  ＴＳパケットの入力を受け付けた場合には、必要なＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）パケットだけを通すフィルタにより、１２セグメントのパケットとワンセグメントのパケットとに分離し、ワンセグメントのパケットを抽出する。
【００２９】
低品質データ抽出部１１０は、さらに、ワンセグメントのパケットから不要なパケットを除外してＳＩＴ（Ｓｅｌｅｃｔｉｏｎ  Ｉｎｆｏｒｍａｔｉｏｎ  Ｔａｂｌｅ）パケットなどを付加してパーシャルＴＳ化することとしてもよい。分離して得たワンセグメントのパケットをそのまま記憶部１２０に記録することも可能であるが、外部記憶装置２３０に書き出す用途を考慮することを可能にするとともに、外部記憶装置２３０に転送する速度を向上させるため、不要なパケットを除外する。
【００３０】
低品質データ記憶制御部１１２は、低品質データ抽出部１１０が抽出した低品質データをファイル化して低品質データファイル１２４を生成し、記憶部１２０に記憶させるものである。例えば、地上デジタルテレビジョン放送では、番組データを構成する低品質データがパケットに含められて送信される。したがって、低品質データ記憶制御部１１２は、受信したパケット内の低品質データを順次に低品質データファイル１２４に記録する。そして、低品質データ記憶制御部１１２は、１番組分の低品質データの記録が完了すると、受信したパケット内の低品質データを新たな低品質データファイル１２４に記録していく。
【００３１】
制御部１５０は、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等から構成され、受信装置１０内の各機能ブロックを制御するものである。
【００３２】
このように、受信装置１０は、高品質データと低品質データとが多重化されてなる送信データを受信した場合に、高品質データと低品質データとを別ファイルにして記憶部１２０に記憶させることができる。これによって、受信装置１０は、低品質データを外部記憶装置２３０に転送するための時間を低減することが可能となる。また、受信装置１０は、高品質データと低品質データとを別ファイルにして記憶部１２０に記憶させることができるので、高品質データを効率よく所定の圧縮フォーマットに変換することが可能となる。例えば、受信装置１０は、高品質データの一例としての１２セグデータ（ＭＰＥＧ−２  Ｖｉｄｅｏ）を、他の高画質・高能率な圧縮フォーマット（例えば、Ｈ．２６４／ＡＶＣ）に変換することができる。
【００３３】
受信装置１０内の機能ブロックのうち、情報登録部１０４、再生部１３２、音声制御部１３４、表示制御部１３６、転送制御部１４０、入力部１６０等が有する各機能については後述する。
【００３４】
以上、本発明の実施形態にかかる受信装置１０の機能構成について説明した。次に、本発明の実施形態にかかる受信装置１０のハードウェア構成について説明する。
【００３５】
［２．受信装置のハードウェア構成］
次に、本発明の実施形態にかかる受信装置のハードウェア構成について説明する。図２は、本発明の実施形態にかかる受信装置のハードウェア構成を示す図である。以下、図２を用いて本発明の実施形態にかかる受信装置のハードウェア構成について説明する。
【００３６】
受信装置１０は、主に、ＣＰＵ９０１と、ＲＯＭ９０３と、ＲＡＭ９０５と、ホストバス９０７と、ブリッジ９０９と、外部バス９１１と、インタフェース９１３と、入力装置９１５と、出力装置９１７と、ストレージ装置９１９と、ドライブ９２１と、接続ポート９２３とを備える。
【００３７】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、受信装置１０内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【００３８】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【００３９】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、受信装置１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。受信装置１０のユーザは、この入力装置９１５を操作することにより、受信装置１０に対して各種のデータを入力したり処理動作を指示したりすることができる。
【００４０】
出力装置９１７は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなど、取得した情報をユーザに対して視覚的または聴覚的に通知することが可能な装置で構成される。出力装置９１７は、例えば、受信装置１０が行った各種処理により得られた結果を出力する。具体的には、表示装置は、受信装置１０が行った各種処理により得られた結果を、テキストまたはイメージで表示する。他方、音声出力装置は、再生された音声データや音響データ等からなるオーディオ信号をアナログ信号に変換して出力する。
【００４１】
ストレージ装置９１９は、受信装置１０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した音響信号データや画像信号データなどを格納する。
【００４２】
ドライブ９２１は、記録媒体用リーダライタであり、受信装置１０に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【００４３】
接続ポート９２３は、例えば、ＵＳＢ（Ｕｎｉｖｅｒｓａｌ  Ｓｅｒｉａｌ  Ｂｕｓ）ポート、ｉ．Ｌｉｎｋ等のＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等の、機器を受信装置１０に直接接続するためのポートである。この接続ポート９２３に外部接続機器９２９を接続することで、受信装置１０は、外部接続機器９２９から直接音響信号データや画像信号データを取得したり、外部接続機器９２９に音響信号データや画像信号データを提供したりする。
【００４４】
以上、本発明の各実施形態に係る受信装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００４５】
以上、本発明の実施形態にかかる受信装置１０のハードウェア構成について説明した。次に、本発明の実施形態にかかる関連付け情報１２６のデータ構造について説明する。
【００４６】
［３．関連付け情報のデータ構造］
次に、本発明の実施形態にかかる関連付け情報のデータ構造について説明する。図３は、本発明の実施形態にかかる関連付け情報のデータ構造を示す図である。以下、図３を用いて本発明の実施形態にかかる関連付け情報のデータ構造について説明する。なお、以下では、送信データが番組データから構成されることとして説明するが、送信データは番組データに限定されるものではない。
【００４７】
図３に示すように、記憶部１２０に記憶される関連付け情報１２６は、管理ＩＤ１２６ａ、番組名１２６ｂ、再生長１２６ｃ、ファイル名１２６ｄ、品質１２６ｅ、関連情報１２６ｆ等を含んで構成されている。
【００４８】
管理ＩＤ１２６ａは、各番組データに対して一意に付与されるＩＤを示すものである。番組名１２６ｂは、番組データの名前を示すものである。再生長１２６ｃは、番組データの再生を開始してから再生が終了するまでにかかる時間を示すものである。ファイル名１２６ｄは、受信装置１０によって各番組データが記録されたファイルに対して一意に付与される名前を示すものである。品質１２６ｅは、番組データの品質を示すものである。関連情報１２６ｆは、各番組データが記録されたファイルに関連するファイルの管理ＩＤ１２６ａを示すものである。
【００４９】
以上、本発明の実施形態にかかる関連付け情報１２６のデータ構造について説明した。次に、本発明の実施形態にかかる低品質データ転送時における画面表示例について説明する。
【００５０】
［４．画面表示例（低品質データの転送）］
次に、本発明の実施形態にかかる低品質データ転送時における画面表示例について説明する。図４は、本発明の実施形態にかかる低品質データ転送時における画面表示例を示す図である。以下、図４を用いて本発明の実施形態にかかる低品質データ転送時における画面表示例について説明する。
【００５１】
受信装置１０は、さらに、情報登録部１０４と、表示制御部１３６とを備えることとしてもよい。情報登録部１０４は、関連付け情報１２６にデータを登録するものであり、送信データから高品質データを識別するための高品質データ識別情報やその他のデータを取得して関連付け情報１２６に登録する。表示制御部１３６は、関連付け情報１２６に登録されている高品質データ識別情報やその他のデータを表示部２２０に表示させる。高品質データ識別情報としては、例えば、高品質データの番組名を使用することができる。図４には、関連付け情報１２６に登録されている番組名１２６ｂ、再生長１２６ｃが、録画されている番組一覧２２１の番組名２２１１、再生長２２１２として表示部２２０に表示された例が示されている。表示部２２０は、例えば、ＣＲＴディスプレイ装置、液晶ディスプレイ装置、プラズマディスプレイ装置、ＥＬディスプレイ装置、ランプなどの表示装置など、取得した情報をユーザに対して視覚的に通知することが可能な装置で構成される。
【００５２】
このように、受信装置１０は、高品質データを識別するための高品質データ識別情報を表示部２２０に表示させることができる。これによって、受信装置１０は、高品質データを選択させるための高品質データ識別情報をユーザに参照させることができる。また、高品質データファイル１２２と低品質データファイル１２４とが別ファイルであっても、高品質データと低品質データとを１つの番組として表示することができる。また、高品質データファイル１２２と低品質データファイル１２４とが別ファイルであっても、ファイルの削除、ダビング回数の計算などの処理を１つの番組として行うことができる。
【００５３】
受信装置１０は、さらに、入力部１６０と、再生部１３２と、制御部１５０とを備えることとしてもよい。入力部１６０は、情報の入力を受け付けることが可能である。再生部１３２は、データの再生を行うことが可能である。制御部１５０は、入力部１６０が、表示部２２０に表示された番組名２２１１を参照したユーザから番組名２２１１で識別される高品質データを再生する旨を示す再生指示情報の入力を受け付けた場合に、再生部１３２に高品質データを再生する処理を実行させる。再生指示情報の入力は、例えば、ユーザが、録画されている番組一覧２２１に表示されている番組のいずれかを選択した状態で、再生ボタン２２３を押下することによって実現されるものとする。高品質データが番組データである場合には、再生部１３２は、高品質データを映像データと音声データとに分離し、受信装置１０の音声制御部１３４が音声データを音声出力部２１０に出力し、表示制御部１３６が映像データを表示部２２０に出力する。音声出力部２１０は、スピーカ、ヘッドホンなどの音声出力装置など、取得した情報をユーザに対して聴覚的に通知することが可能な装置で構成される。音声出力装置は、再生された音声データや音響データ等からなるオーディオ信号をアナログ信号に変換して出力する。
【００５４】
情報登録部１０４は、送信データから低品質データを識別するための低品質データ識別情報やその他のデータをさらに取得して高品質データ識別情報に関連付けて関連付け情報１２６に登録することとしてもよい。情報登録部１０４は、例えば、高品質データの関連情報１２６ｆに低品質データの管理ＩＤ１２６ａを記録することで高品質データ識別情報に低品質データ識別情報を関連付ける。情報登録部１０４は、例えば、さらに、低品質データの関連情報１２６ｆに高品質データの管理ＩＤ１２６ａを記録することで低品質データ識別情報に高品質データ識別情報を関連付けることとしてもよい。
【００５５】
送信データに高品質データは含まれているが、低品質データは含まれていない場合も想定されるが、その場合には、高品質データ識別情報に低品質データ識別情報を関連付ける必要はない。また、高品質データから構成される番組データの受信が終了する時刻と低品質データから構成される番組データの受信が終了する時刻とが一致しない場合も想定される。その場合であっても、例えば、高品質データから構成される番組データの受信終了時刻を基準とし、その時刻までに受信した低品質データを高品質データに関連付けるようにすればよい。
【００５６】
情報登録部１０４が、低品質データ識別情報やその他のデータを高品質データ識別情報に関連付けて関連付け情報１２６に登録する場合には、受信装置１０は、さらに、転送制御部１４０を備える。転送制御部１４０は、データを外部記憶装置２３０に転送することが可能である。転送制御部１４０は、外部記憶装置２３０に合わせた所定のフォーマットにデータを変換し、変換後のデータを外部記憶装置２３０に転送することとしてもよい。入力部１６０は、表示部２２０に表示された番組名２２１１を参照したユーザから番組名２２１１に関連付けられた番組名１２６ｂで識別される低品質データをファイル化した低品質データファイル１２４を外部記憶装置２３０に転送する旨を示す転送指示情報の入力を受け付ける。その場合には、制御部１５０は、転送制御部１４０に、その低品質データファイル１２４を外部記憶装置２３０に転送する処理を実行させる。転送指示情報の入力は、例えば、ユーザが、録画されている番組一覧２２１に表示されている番組のいずれかを選択し、転送先２２２のいずれかを選択した状態で、転送ボタン２２４を押下することによって実現されるものとする。制御部１５０は、転送制御部１４０に、低品質データファイル１２４を外部記憶装置２３０に転送する処理を実行させている間、表示制御部１３６に、転送中であることを示す転送メッセージ２２５を表示部２２０に表示させる処理を実行させることとしてもよい。
【００５７】
このように、受信装置１０は、低品質データファイルを外部記憶装置２３０に転送する処理を実行することができる。低品質データファイルは高品質データファイルよりもサイズが小さいため、受信装置１０は、外部記憶装置２３０にデータの転送をより速く完了させることができる。また、低品質データファイルはサイズが小さいため、受信装置１０は、高品質データを再生させている間に、低品質データファイルを外部記憶装置２３０に転送する処理を実行しても、受信装置１０のＣＰＵやメモリに対してかかる負荷をさほど大きくせずに済む。
【００５８】
また、制御部１５０は、外部記憶装置２３０の記憶容量を判断し、記憶容量が小容量（所定の値未満）であると判断した外部記憶装置２３０に転送する場合にのみ、転送制御部１４０に、低品質データファイルを転送する処理を実行させるようにしてもよい。所定の値は、例えば、記憶部１２０に記憶させておくことができる。
【００５９】
以上、本発明の実施形態にかかる低品質データ転送時における画面表示例について説明した。次に、本発明の実施形態にかかる警告メッセージの表示時における画面表示例について説明する。
【００６０】
［５．画面表示例（警告メッセージの表示）］
次に、本発明の実施形態にかかる警告メッセージの表示時における画面表示例について説明する。図５は、本発明の実施形態にかかる警告メッセージの表示時における画面表示例を示す図である。以下、図５を用いて本発明の実施形態にかかる警告メッセージの表示時における画面表示例について説明する。
【００６１】
高品質データと低品質データとが同種のものであるか否かは、送信装置が送信する送信データに依存する。ここで、データが同種であるとは、データの容量等が異なるだけで、データの内容は同じであること（同じ番組であること等）を意味する。例えば、日本の地上デジタルテレビジョン放送では、高品質データの一例としての１２セグデータと低品質データの一例としてのワンセグデータとが同種の番組であるとするサイマル放送が２００８年３月末まで義務付けられていた。しかし、２００８年４月１日改正放送法の施行によって、サイマル放送の義務化が解かれ、部分的なワンセグ放送に独自の番組の放送がなされている。したがって、高品質データと低品質データとは同種のものであるとは限らないため、受信装置１０は、高品質データと低品質データとが同種のものであるか否かによって、処理を変えることとしてもよい。
【００６２】
例えば、入力部１６０が上記した転送指示情報の入力を受け付けたとする。その場合に、制御部１５０は、高品質データと低品質データとが同種のものであるか否かを判断することとしてもよい。そして、制御部１５０は、同種のものであると判断した場合には、転送制御部１４０に、低品質データファイル１２４を外部記憶装置２３０に転送する処理を実行させることとしてもよい。また、制御部１５０は、同種のものではないと判断した場合には、表示制御部１３６に、高品質データと低品質データとが同種のものではないことを示す警告メッセージ２２６を表示部２２０に表示させる処理を実行させることとしてもよい。制御部１５０は、例えば、高品質データと低品質データとが番組名や番組詳細、再生長等について同じであるか否かを判断することによって、高品質データと低品質データとが同種のものであるか否かを判断することができる。
【００６３】
また、制御部１５０は、表示制御部１３６に、警告メッセージ２２６を表示部２２０に表示させる処理を実行させる代わりに、低品質データの番組名を表示部２２０に表示させる処理を実行させることとしてもよい。あるいは、警告メッセージ２２６を表示部２２０に表示させる処理を実行させるとともに、低品質データの番組名を表示部２２０に表示させる処理を実行させることとしてもよい。
【００６４】
このように、受信装置１０は、高品質データと低品質データとが同種のものではないときには、警告メッセージ２２６を表示することができる。また、高品質データと低品質データとが同種のものではないときには、低品質データの番組名を表示することもできる。したがって、ユーザが高品質データの番組名を確認して、その高品質データに対応する低品質データを外部記憶装置２３０に転送させようとした場合に、高品質データと低品質データとが同種でないことに気づくことができる。
【００６５】
また、例えば、制御部１５０が、高品質データと低品質データとが同種のものではないと判断した場合に、高品質データのビットレートを下げる変換を行ってもよい。そして、制御部１５０は、転送制御部１４０に、変換して得た高品質データファイルを外部記憶装置２３０に転送する処理を実行させることとしてもよい。その場合に、制御部１５０は、高品質データのビットレートを下げる変換を行うか否かを示す選択メッセージ２２７を表示部２２０に表示させる処理を、表示制御部１３６に実行させることとしてもよい。その場合には、高品質データのビットレートを下げる変換は、例えば、ユーザが実行ボタン２２８を押下することによって実行されるものとすることができる。また、高品質データのビットレートを下げる変換は、例えば、ユーザがキャンセルボタン２２９を押下することによってキャンセルされるものとすることができる。
【００６６】
このように、受信装置１０は、高品質データと低品質データとが同種のものではないときには、高品質データのビットレートを下げたものを外部記憶装置２３０に転送することができる。したがって、受信装置１０は、外部記憶装置２３０の記憶容量が小さい場合でも、ユーザが番組名を確認した高品質データに対応する低品質データを外部記憶装置２３０に転送して記憶させることができる。
【００６７】
以上、本発明の実施形態にかかる警告メッセージの表示時における画面表示例について説明した。次に、本発明の実施形態にかかる受信装置のデータ受信時の動作について説明する。
【００６８】
［６．受信装置の動作（データ受信時の処理）］
本発明の実施形態にかかる受信装置のデータ受信時の動作について説明する。図６は、本発明の実施形態にかかる受信装置のデータ受信時の動作を示すフローチャートである。以下、図６を用いて（適宜他の図参照）本発明の実施形態にかかる受信装置のデータ受信時の動作について説明する。なお、このデータ受信時の動作は、図８に示した録画処理（ステップＳ１３）の詳細を示すものである。
【００６９】
まず、制御部１５０は、受信部１０２が番組の最後までデータの受信を完了したか否かを判断する（ステップＳ１０１）。ここでいう番組とは、例えば、高品質データで構成される番組データを意味するものである。制御部１５０は、受信部１０２が番組の最後までデータの受信を完了したと判断した場合には（ステップＳ１０１で「Ｙｅｓ」）、情報登録部１０４に情報の登録をさせて（ステップＳ１０２）、処理を終了する。ステップＳ１０２の詳細については図７を参照して後に詳述する。
【００７０】
制御部１５０は、受信部１０２が番組の最後までデータの受信を完了していないと判断した場合には（ステップＳ１０１で「Ｎｏ」）、受信部１０２を介してデータを受信し（ステップＳ１０３）、受信したデータが高品質データであるか否かを判断する（ステップＳ１０４）。制御部１５０は、受信したデータが高品質データであると判断した場合には（ステップＳ１０４で「Ｙｅｓ」）、高品質データ抽出部１０６を介して、受信したデータから高品質データを抽出し（ステップＳ１０５）、高品質データ記憶制御部１０８を介して、抽出した高品質データを高品質データファイル１２２に記録する（ステップＳ１０６）。その後、制御部１５０は、ステップＳ１０１に戻って処理を継続する。
【００７１】
制御部１５０は、受信したデータが高品質データではないと判断した場合には（ステップＳ１０４で「Ｎｏ」）、受信したデータが低品質データであるか否かを判断する（ステップＳ１０７）。制御部１５０は、受信したデータが低品質データであると判断した場合には（ステップＳ１０７で「Ｙｅｓ」）、低品質データ抽出部１１０を介して、受信したデータから低品質データを抽出し（ステップＳ１０８）、低品質データ記憶制御部１１２を介して、抽出した低品質データを低品質データファイル１２４に記録する（ステップＳ１０９）。その後、制御部１５０は、ステップＳ１０１に戻って処理を継続する。ここで、制御部１５０は、受信したデータが低品質データであると判断した場合に、低品質データで構成される番組データの最後まで受信を完了したか否かをさらに判断してもよい。制御部１５０が最後まで受信を完了したと判断した場合には、新たな低品質データファイル１２４に低品質データを記録していくこととしてもよい。
【００７２】
制御部１５０は、受信したデータが低品質データではないと判断した場合には（ステップＳ１０７で「Ｎｏ」）、ステップＳ１０１に戻って処理を継続する。
【００７３】
以上、本発明の実施形態にかかる受信装置のデータ受信時の動作について説明した。次に、本発明の実施形態にかかる関連付け情報の登録時の動作について説明する。
【００７４】
［７．受信装置の動作（関連付け情報の登録）］
本発明の実施形態にかかる関連付け情報の登録時の動作について説明する。図７は、本発明の実施形態にかかる関連付け情報の登録時の動作を示すフローチャートである。以下、図７を用いて（適宜他の図参照）本発明の実施形態にかかる関連付け情報の登録時の動作について説明する。なお、この関連付け情報の登録時の動作は、図６に示した情報登録（ステップＳ１０２）の詳細を示すものである。
【００７５】
まず、制御部１５０は、情報登録部１０４を介して高品質データの情報を関連付け情報１２６に登録する（ステップＳ１０２１）。高品質データの情報とは、例えば、番組名１２６ｂ、再生長１２６ｃ、品質１２６ｅ等の情報であり、受信部１０２が受信した送信データから取得する。制御部１５０は、受信部１０２を介して低品質データを受信したか否かを判断する（ステップＳ１０２２）。制御部１５０は、低品質データを受信していないと判断した場合には（ステップＳ１０２２で「Ｎｏ」）、処理を終了する。
【００７６】
制御部１５０は、受信部１０２を介して低品質データを受信したと判断した場合には（ステップＳ１０２２で「Ｙｅｓ」）、情報登録部１０４を介して低品質データの情報を関連付け情報１２６に登録する（ステップＳ１０２３）。低品質データの情報とは、例えば、番組名１２６ｂ、再生長１２６ｃ、品質１２６ｅ等の情報であり、受信部１０２が受信した送信データから取得する。その後、制御部１５０は、情報登録部１０４を介して高品質データと低品質データとを関連付けて（ステップＳ１０２４）、処理を終了する。高品質データと低品質データとの関連付けは、例えば、高品質データの関連情報１２６ｆに低品質データの管理ＩＤ１２６ａを、低品質データの関連情報１２６ｆに高品質データの管理ＩＤ１２６ａを記録することで行う。
【００７７】
以上、本発明の実施形態にかかる関連付け情報の登録時の動作について説明した。次に、本発明の実施形態にかかる受信装置の動作全体について説明する。
【００７８】
［８．受信装置の動作（全体処理）］
本発明の実施形態にかかる受信装置の動作全体について説明する。図８は、本発明の実施形態にかかる受信装置の動作全体を示すフローチャートである。以下、図８を用いて（適宜他の図参照）本発明の実施形態にかかる受信装置の動作全体について説明する。
【００７９】
入力部１６０は、操作情報の入力を受け付ける（ステップＳ１１）。制御部１５０は、入力部１６０が入力を受け付けた操作情報を判断する（ステップＳ１２）。制御部１５０は、入力部１６０が入力を受け付けた操作情報が録画を示すものである場合には（ステップＳ１２で「録画」）、録画処理を行い（ステップＳ１３）、処理を終了する。
【００８０】
制御部１５０は、入力部１６０が入力を受け付けた操作情報が表示を示すものである場合には（ステップＳ１２で「表示」）、高品質データの情報を関連付け情報１２６から取得して、表示制御部１３６を介して表示部２２０に表示する（ステップＳ１４）。制御部１５０は、例えば、品質１２６ｅが「高」であるデータが高品質データの情報であると判断する。高品質データの情報は、例えば、録画されている番組一覧２２１（図４参照）に示したように表示される。
【００８１】
続いて、入力部１６０は、操作情報の入力を受け付ける（ステップＳ１５）。制御部１５０は、入力部１６０が入力を受け付けた操作情報を判断する（ステップＳ１６）。制御部１５０は、入力部１６０が入力を受け付けた操作情報が再生を示すものである場合には（ステップＳ１６で「再生」）、再生部１３２を介して、選択された高品質データを再生して（ステップＳ２０）、処理を終了する。
【００８２】
制御部１５０は、入力部１６０が入力を受け付けた操作情報が転送を示すものである場合には（ステップＳ１６で「転送」）、転送先が大容量の記憶装置であるか否かを判断する（ステップＳ１７）。制御部１５０は、転送先が大容量の記憶装置であると判断した場合には（ステップＳ１７で「Ｙｅｓ」）、選択された高品質データのファイル（高品質データファイル１２２）を、転送制御部１４０を介して転送先に転送して（ステップＳ１８）、処理を終了する。制御部１５０は、転送先が大容量の記憶装置ではないと判断した場合には（ステップＳ１７で「Ｎｏ」）、選択された高品質データに関連付けられた低品質データのファイル（低品質データファイル１２４）を、転送制御部１４０を介して転送先に転送して（ステップＳ１９）、処理を終了する。
【００８３】
以上、本発明の実施形態にかかる受信装置の動作全体について説明した。次に、本発明の実施形態の変形例について説明する。
【００８４】
［９．本実施形態の変形例］
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００８５】
【図１】本発明の実施形態にかかる受信装置の機能構成を示す図である。
【図２】本発明の実施形態にかかる受信装置のハードウェア構成を示す図である。
【図３】本発明の実施形態にかかる関連付け情報のデータ構造を示す図である。
【図４】本発明の実施形態にかかる低品質データ転送時における画面表示例を示す図である。
【図５】本発明の実施形態にかかる警告メッセージの表示時における画面表示例を示す図である。
【図６】本発明の実施形態にかかる受信装置のデータ受信時の動作を示すフローチャートである。
【図７】本発明の実施形態にかかる関連付け情報の登録時の動作を示すフローチャートである。
【図８】本発明の実施形態にかかる受信装置の動作全体を示すフローチャートである。
【符号の説明】
【００８６】
１０    受信装置
２０    アンテナ
３０    チューナ
４０    復調部
１０２  受信部
１０４  情報登録部
１０６  高品質データ抽出部
１０８  高品質データ記憶制御部
１１０  低品質データ抽出部
１１２  低品質データ記憶制御部
１２０  記憶部
１２２  高品質データファイル
１２４  低品質データファイル
１２６  関連付け情報
１２６ａ  管理ＩＤ
１２６ｂ  番組名
１２６ｃ  再生長
１２６ｄ  ファイル名
１２６ｅ  品質
１２６ｆ  関連情報
１３２  再生部
１３４  音声制御部
１３６  表示制御部
１４０  転送制御部
１５０  制御部
１６０  入力部
２１０  音声出力部
２２０  表示部
２２１  録画されている番組一覧
２２２  転送先
２２５  転送メッセージ
２２６  警告メッセージ
２２７  選択メッセージ
２３０  外部記憶装置
【図１】
2010141520.tif 000003
【図２】
2010141520.tif 000004
【図３】
2010141520.tif 000005
【図４】
2010141520.tif 000006
【図５】
2010141520.tif 000007
【図６】
2010141520.tif 000008
【図７】
2010141520.tif 000009
【図８】
2010141520.tif 000010